(57)【要約】【課題】  地面に確実に固定でき、かつ撤去後に部材が地面または地中に放置されてトラブルとなる恐れのない植物覆い具を提供しようとする。【解決手段】  土に載置されて該土に植生された植物を透視可能に覆う覆い具であって、該土に面接する開口部と、該開口部の周縁から立ち上がり、該周縁に沿って一巡する側壁とを有する覆い部を備え、該側壁の外側に、該側壁の周方向に一巡し前記覆い具と同重量以上の水が留置される溝が設けられた植物覆い具である。【選択図】  図１
2007043977.tif 000002
【特許請求の範囲】
【請求項１】
土に載置されて該土に植生された植物を覆う覆い具であって、
該土に面接する開口部と、該開口部の周縁から立ち上がり、該周縁に沿って一巡する側壁と、を有する覆い部を備え、
該側壁の外側に、該側壁の周方向に一巡し前記覆い具と同重量以上の水が留置可能な容量の溝が設けられた植物覆い具。
【請求項２】
前記側壁が前記開口部の周縁で外側に曲げ返されて上方に延出して該側壁の周方向に前記側壁と隔てて一巡する延出部が形成されることにより前記溝が形成される請求項１に記載の植物覆い具。
【請求項３】
前記覆い部の側壁に１又は複数のメッシュ部が形成された請求項１又は請求項２に記載の植物覆い具。
【請求項４】
前記覆い部の側壁の全面にわたって通気孔が形成された請求項１乃至請求項３のいずれかに記載の植物覆い具。
【請求項５】
前記通気孔が、少なくとも前記溝の上端と同じ高さの位置から上方に形成された請求項４に記載の植物覆い具。
【発明の詳細な説明】
【技術分野】
【０００１】
本発明は、植えられた植物を覆って保護するための植物覆い具に関する。
【背景技術】
【０００２】
育苗時の苗に保温、霜よけ、あるいは鳥害対策として透明な覆いを被せることが行なわれる。この目的に対してはハウスと呼ばれる大規模のものもあるが（例えば、特許文献１参照）、図７に示すような透明樹脂製の径が３０ｃｍ前後、高さが３０ｃｍ前後のドーム型（椀型）の植物覆い具１００も簡便かつ安価であるとの理由で普及している。植物覆い具１００は、地面に載置して個々の苗や苗の小集団に被せて用いられ、覆い部１１０を備える。覆い部１１０は、土に面接する開口部１０２と、開口部１０２の周縁１０４から立ち上がり、苗１０６の周囲を土の面と平行方向に一巡して即ち周縁１０４に沿って一巡して苗１０６を囲む側壁１０８とを有する。
【０００３】
側壁１０８の外側には、周縁１０４から外側に向けて水平方向に延出し周縁１０４に沿って一巡する鍔１１２が形成されている。植物覆い具１００が地面に載置されると、鍔１１２の下面が地面に面接する。
【０００４】
植物覆い具１００は透明樹脂でできており、材料コストの面や透光性確保のため側壁の厚さが通常０．５ｍｍ以下と薄く作られているので軽量である。従って、風に飛ばされやすいので鍔１１２を貫通する固定用具１１４を用いて地面に固定する。固定用具１１４は全体としてコの字形の細長金属部材からなり、地面に突き刺され先端が鋭利な一対の針部１１６、１１６を備え、針部１１６の根元には抜け止め部１１８が形成されている。抜け止め部１１８は針部１１６、１１６の間の針部１１６、１１６と直交する細長の部分からなり、針部１１６が鍔１１２を貫通して先端から地面に突き刺されたときの抜け止めとなる。
【０００５】
固定用具１１４を用いたこのような態様により、植物覆い具１００は地面に確実に固定されるが、用済み後に植物覆い具１００を撤去する際に、往々にして、地面から引き抜かれた固定用具１１４が撤去作業中にまぎれてそのまま地面または地中に放置されることがある。放置された固定用具１１４はいつまでも畑に残存しその後の農作業の障害になる。例えば、根菜類を収穫するときの手作業中に手に突き刺す危険性がある。あるいは農機具に巻き込んでトラブルになったり、農機具で跳ね飛ばして人体に危害を与えたりしかねない。
【特許文献１】特開平６−２０９６５７号公報
【発明の開示】
【発明が解決しようとする課題】
【０００６】
本発明の目的は、地面に確実に固定でき、かつ撤去後に部材が地面または地中に放置されてトラブルとなる恐れのない植物覆い具を提供することである。
【課題を解決するための手段】
【０００７】
本発明の要旨とするところは、土に載置されて該土に植生された植物を覆う覆い具であって、該土に面接する開口部と、該開口部の周縁から立ち上がり、該周縁に沿って一巡する側壁とを有する覆い部を備え、該側壁の外側に、該側壁の周方向に一巡し前記覆い具と同重量以上の水が留置可能な容量の溝が設けられた植物覆い具であることにある。
【０００８】
前記植物覆い具においては、前記側壁が前記開口部の周縁で外側に曲げ返されて上方に延出して該側壁の周方向に前記側壁と隔てて一巡する延出部が形成されることにより前記溝が形成され得る。
【０００９】
前記植物覆い具においては、前記覆い部の側壁に１又は複数のメッシュ部が形成され得る。
【００１０】
前記植物覆い具においては、前記覆い部の側壁の全面にわたって通気孔が形成されてもよい。
【００１１】
前記植物覆い具においては、前記通気孔が、少なくとも前記溝の上端と同じ高さの位置から上方に形成されることが好ましい。
【発明の効果】
【００１２】
本発明によると、地面に確実に固定でき、かつ撤去後に部材が地面または地中に放置されてトラブルとなる恐れのない植物覆い具が提供される。
【００１３】
本発明によると、保温、防霜、防鳥、防虫効果に優れた植物覆い具が提供される。
【００１４】
本発明によると、植物覆い具の内部の積極的な温度調節が、特別の温度調整機器を用いずとも可能である。
【発明を実施するための最良の形態】
【００１５】
本発明の植物覆い具の態様について説明する。なお、本明細書においては、各図にわたって記される同じ符号は同一又は同様の部材やものを示す。図１に示すように、本発明の植物覆い具２は、土に面接する開口部４と、開口部４の周縁６から立ち上がり、周縁６に沿って一巡する側壁８とを有する自立性の覆い部１０を備える。覆い部１０は透明もしくは半透明で全体として深い椀を伏せたようなドーム形あるいは釣鐘形の形状をなすが、全体として下方に開口を有する箱形の形状をなすものであってもよい。覆い部１０の頂上部には空気抜きの孔１３が形成されている。使用目的によっては、孔１３はなくてもよい。あるいは、覆い部１０に数箇所の孔が形成されていてもよい。
【００１６】
側壁８の外側には、側壁８の周方向に一巡し上方に開口する溝１２が設けられている。溝１２は覆い具２と同重量以上の水が留置できる容量を有している。
【００１７】
側壁８が開口部４の周縁６で外側に曲げ返されて上方に延出し、周縁６で側壁８と連接する延出部１４が形成されている。延出部１４は側壁８の周方向に側壁８と隔てて一巡する。これにより溝１２が形成される。延出部１４は自立性であることが好ましい。あるいは、延出部１４が外力で変形しないように延出部１４を維持する不図示の補強部材が延出部１４に備えられていてもよい。
【００１８】
覆い部１０には、覆い部１０の周方向に波打ち覆い部１０の頂上部から周縁６にかけて稜線が延びるひだ１５が形成されていることが好ましい。これにより覆い部１０の内部の結露により生じ覆い部１０の内壁に付着している水滴がひだの内側の稜線を伝わって覆い部１０の内壁に沿って下方に移動するので、水滴が直接苗に落下することが防止される。
【００１９】
図２に示すように、溝１２に水２２を留置した状態で植物覆い具２を苗２０にかぶせて土の面１６に載置することにより、苗２０が覆い部１０で覆われる。溝１２に覆い具２と同重量以上の水が留置されていると植物覆い具２は水２２の重量で土の面１６に押し付けられ風で移動したり飛ばされたりする恐れが極めて少なくなる。
【００２０】
蒸発による水の目減りは降雨により人手をかけずに補填することもできる。植物覆い具２の平面投影面積分の降雨が溝１２に流れ込むので降雨による効率的な水の補填が可能である。また、人手で水を充填や補填する場合にも、植物覆い具２の上面に無作為で水を懸けることにより水が溝１２に流れ込むので水の充填・補填操作は極めて容易である。
【００２１】
用済みになって植物覆い具２を撤去するときには、溝１２内の水を地面等しかるべきところに撒いて捨てればよい。このように、本発明においては、植物覆い具２の固定のために特別の部材を使用する必要がないので、このような部材が地面に放置されるおそれは全くない。
【００２２】
本発明の他の態様の一例を図３に示す。図３の植物覆い具２ａは、土（地面１６）に面接する開口部４と、開口部４の周縁６から立ち上がり、周縁６に沿って一巡する側壁８とを有する覆い部１０を備える。周縁６にはフック状の受け部３０が複数箇所設けられている。また、植物覆い具２ａは側壁８の外側を周方向に一巡する環状の水貯め部材３２を備える。水貯め部材３２には上方に開口する溝１２ａが形成されている。水貯め部材３２は断面がコの字形であり、コの字形の内側が溝１２ａを形成している。水貯め部材３２を覆い部１０に嵌め、受け部３０で下方から受けることにより、水貯め部材３２が覆い部１０に連結される。
【００２３】
この態様は、水貯め部材３２が覆い部１０から着脱自在であり、水貯め部材３２の交換が可能であり、溝１２ａの掃除が容易である。
【００２４】
本発明の植物覆い具は樹脂を素材として製造される。この樹脂としては透明もしくは半透明で所定の強度を有するものであれば特に限定されないが、例えば、ポリエステル系樹脂、ポリオレフィン系樹脂、ポリ塩化ビニル系樹脂等、ポリカーボネート系樹脂、生分解性樹脂等が挙げられる。特に生分解性樹脂を素材とすれば、用済みになって撤去された植物覆い具が仮に地面に放置された場合であっても環境に悪影響を与えることがない。またこれらの樹脂には、植物の生育を促進するために着色が施されてもよい。
【００２５】
溝（１２、１２ａ）の高さＨは５〜１５ｃｍであることが好ましい。溝（１２、１２ａ）の幅Ｗは０．５〜３ｃｍであることが好ましい。側壁８等植物覆い具の各所の厚みは強度を損なわない限り薄いことが透明性と材料コストの点で好ましく、例えば０．０５〜１ｍｍである。
【００２６】
また、本発明の植物覆い具においては、溝（１２、１２ａ）に留置された水により覆い部１０の周囲に水の壁が形成されることになる。水の壁は空気の壁に比べて熱容量が大きいので、温まりにくく、かつ冷えにくい。従って、この水の壁により植物覆い具の内部が効率よく保温される。例えば、朝方のきびしい冷え込みに対して充分に苗が保護される。また、真昼の暑さに対しても苗が保護される。さらに、溝（１２、１２ａ）に積極的に場合に応じて冷水や温水を充填することにより植物覆い具の内部の積極的な温度調節が、特別の温度調整機器を用いずとも可能である。
【００２７】
溝（１２、１２ａ）には土、砂利、小石などの重量物が入れられて重しの役目をしてもよい。
【００２８】
本発明の他の態様の一例を図４に示す。図４の植物覆い具２ｂは、基本的には図１に示す植物覆い具２と構造が同じであるが、側壁８に覆い部１０を内外に貫通する貫通孔１７が形成されている。貫通孔１７は、側壁８の、延出部１４の上縁とほぼ同じ高さ（地面からの）あるいはこの高さよりやや低い高さ（地面からの）の位置に形成されている。貫通孔１７は、側壁８の周方向に例えば数箇所乃至十数箇所形成される。
【００２９】
植物覆い具２ｂにおいては、溝１２に水を注入し続けると、貫通孔１７から水がオーバーフローして覆い部１０の内部に注がれる。これにより、植物覆い具２ｂをセットしたままで植物覆い具２ｂの内側の地面に水遣りを行うことができる。また、無作為に水を溝１２に注入するという操作で、苗２０に直接水をふりかけることなく、苗２０から等距離の位置に環状に水遣りを行うことができる。
【００３０】
本発明の植物覆い具は苗の保温、霜よけ、防鳥等の保護ばかりではなく収穫前のスイカ等の果実の保護にも用いられる。また、害虫の防除にも好適に用いられる。
【００３１】
害虫の防除に用いられる本発明の植物覆い具の態様の一例を図５に示す。図５の植物覆い具２ｃは、基本的には図１に示す植物覆い具２と構造が同じであるが、覆い部１０ｃの頂上部（頭頂部分）に形成された孔１３ａをメッシュ部材５０で覆うことによって、覆い部１０ｃの側壁８にメッシュ部が形成されている。メッシュ部材５０は、ポリエステル系樹脂等の樹脂、またはステンレス等の金属等から成り、このメッシュ部材５０で孔１３ａを覆うことによって、空気抜きが可能であると共に害虫の防除効果も高まる。また、孔１３ａの大きさも、図１に示す植物覆い具２の孔１３に比べて大きめに形成することができ、空気抜きの効率が高まる。なお、本態様では孔１３ａに別体のメッシュ部材５０を取り付けているが、覆い部１０ｃの頂上部に、孔１３ａの代わりにメッシュ部（不図示）が一体的に形成されてもよい。また、覆い部１０ｃに数箇所の孔１３ａを形成して、これら複数の孔１３ａをメッシュ部材５０で覆うことによって、覆い部１０ｃの側壁８に数箇所のメッシュ部が形成されてもよい。
【００３２】
本発明の植物覆い具の更に他の態様の一例を図６に示す。図６の植物覆い具２ｄも、孔１３が無いことを除いて基本的には図１に示す植物覆い具２と構造が同じであるが、覆い部１０ｄの側壁８ａの全面にわたって微細な通気孔６０が形成されている。通気孔６０は、側壁８ａの、延出部１４の上縁とほぼ同じ高さ（地面からの）あるいはこの高さよりやや高い高さ（地面からの）の位置から上方に形成されている。これにより、植物覆い具２ｄ内の通気性が向上すると共に、害虫の防除効果も得られる。なお、本態様において、更に図５に示したようなメッシュ部材５０で覆われた孔１３ａが、覆い部１０ｄの頭頂部分に形成されてもよい。また、最下部に形成される通気孔６０の位置が延出部１４の上縁とほぼ同じ高さの場合には、図４に示した貫通孔１７と同様の効果が得られる。
【００３３】
その他、本発明は、主旨を逸脱しない範囲で当業者の知識に基づき種々なる改良、修正、変更を加えた態様で実施できるものである。
【図面の簡単な説明】
【００３４】
【図１】本発明の植物覆い具の態様の一例を示す斜視図である。
【図２】図１に示す植物覆い具が地面に設置された状態を示す断面模式図である。
【図３】本発明の植物覆い具の他の態様の一例を示し、図３（ａ）は斜視図、図３（ｂ）はこの植物覆い具が地面に設置された状態を示す断面模式図である。
【図４】本発明の植物覆い具の更に他の態様の一例を示す断面模式図である。
【図５】本発明の植物覆い具のまた別の態様の一例を示す斜視図である。
【図６】本発明の植物覆い具の更に別の態様の一例を示す斜視図である。
【図７】従来の植物覆い具の態様を示す斜視図である。
【符号の説明】
【００３５】
２、２ａ〜２ｄ、１００：植物覆い具
４、１０２：開口部
６、１０４：周縁
８、１０８：側壁
１０、１０ａ〜１０ｄ、１１０：覆い部
１２、１２ａ：溝
１３、１３ａ：孔
１４：延出部
５０：メッシュ部材
６０：通気孔
１１２：鍔
１１４：固定用具
【図１】
2007043977.tif 000003
【図２】
2007043977.tif 000004
【図３】
2007043977.tif 000005
【図４】
2007043977.tif 000006
【図５】
2007043977.tif 000007
【図６】
2007043977.tif 000008
【図７】
2007043977.tif 000009